【手続補正書】
【提出日】平成18年7月19日(2006.7.19)
【手続補正１】
【補正対象書類名】明細書
【補正対象項目名】特許請求の範囲
【補正方法】変更
【補正の内容】
【特許請求の範囲】
【請求項１】  式（Ｉ）の化合物
【化１】
2002521551.tif 000001
（式中、Ｒ１はＣＨでありＲ６が結合であるか、あるいはＲ１とＲ６を合わせたものが電子吸引基を形成し；
Ｒ２およびＲ３は独立に、（ＣＲ８’Ｒ８）ｎ、あるいはＣＲ９Ｒ１０基、−（ＣＲ８’Ｒ８ＣＲ９Ｒ１０）−基、または−（ＣＲ９Ｒ１０ＣＲ８’Ｒ８）−基から選択され、式中ｎは０、１、または２であり、Ｒ８’およびＲ８は独立に水素またはアルキルから選択され、Ｒ９またはＲ１０の一方は水素で他方は電子吸引基であるか、あるいはＲ９とＲ１０を合わせたものが電子吸引基を形成し、
Ｒ４およびＲ５は独立に、ＣＨまたはＣＲ１１から選択され、式中Ｒ１１は電子吸引基であり、
Ｒ７は、水素、任意に置換されたヒドロカルビル基、ペルハロアルキル基、または官能基であり；
点線は、結合が存在するか、または結合が存在しないことを示し、
Ｘ１は、これに付いた点線の結合が存在しない場合はＣＸ２Ｘ３基であり、これに付いた点線が存在する場合はＣＸ２であり、Ｙ１は、これに付いた点線の結合が存在しない場合はＣＹ２Ｙ３基であり、これに付いた点線の結合が存在する場合はＣＹ２基であり、Ｘ２、Ｘ３、Ｙ２、およびＹ３は独立に、水素およびフッ素から選択され；
但し、（ａ）Ｒ１およびＲ６、または（ｂ）Ｒ２およびＲ３、または（ｃ）Ｒ４およびＲ５の少なくとも１組は電子吸引基を含む）と、必要であれば重合開始剤と、を含む接着剤またはシーラント組成物。
【請求項２】  式（Ｉ）の化合物が、式（ＩＡ）
【化２】
2002521551.tif 000002
（式中Ｒ１、Ｒ２、Ｒ３、Ｒ４、Ｒ５、Ｒ６、Ｒ７、Ｘ２、Ｘ３、Ｙ２、およびＹ３は請求項１に記載の定義と同様である）の化合物である請求項１に記載の接着剤またはシーラント組成物。
【請求項３】  式（Ｉ）の化合物が放射線または電子ビームの影響下、または化学開始剤との反応によって重合する請求項１または２に記載の接着剤またはシーラント組成物。
【請求項４】  式（Ｉ）の化合物が紫外線または熱放射の影響下で重合可能である請求項３に記載の接着剤またはシーラント組成物。
【請求項５】  式（Ｉ）の化合物が紫外光の影響下で硬化可能である請求項４に記載の接着剤またはシーラント組成物。
【請求項６】  光開始剤である重合開始剤を含む請求項５に記載の接着剤またはシーラント組成物。
【請求項７】  Ｒ１とＲ６が電子吸引基を形成する先行する請求項のいずれか１項に記載の接着剤またはシーラント組成物。
【請求項８】  式（Ｉ）の化合物において、Ｒ２とＲ３が（ＣＲ８’Ｒ８）ｎ基であり、Ｒ４とＲ５がＣＨ基である請求項７に記載の接着剤またはシーラント組成物。
【請求項９】  式（Ｉ）の化合物において、Ｒ１が電子吸引性を有するヘテロ原子または置換ヘテロ原子である請求項７または８に記載の接着剤またはシーラント組成物。
【請求項１０】  Ｒ１がＮ＋Ｒ１２（Ｚｍ−）１／ｍ、Ｓ（Ｏ）ｐＲ１３、Ｂ、Ｐ（Ｏ）ｑＲ１４、またはＳｉ（Ｒ１５）であり、式中のＲ１２、Ｒ１３、Ｒ１４、およびＲ１５は独立に水素またはヒドロカルビルから選択され、Ｚは価数ｍの陰イオンであり、ｐは０、１、または２であり、ｑは０、１、２、または３である請求項９に記載の接着剤またはシーラント組成物。
【請求項１１】  Ｒ１がＮ＋Ｒ１２（Ｚｍ−）１／ｍ基であり、式中のＲ１２、Ｚ、およびｍは請求項８に記載の通りである請求項１０に記載の接着剤またはシーラント組成物。
【請求項１２】  Ｚがハロゲンである請求項１０または１１に記載の接着剤またはシーラント組成物。
【請求項１３】  Ｒ１２がアルキルである請求項１１または１２に記載の接着剤またはシーラント組成物。
【請求項１４】  Ｒ１がＣＨ基であり、Ｒ６が−Ｃ（Ｏ）Ｏ−基または−ＯＣ（Ｏ）−基または−Ｓ（Ｏ）２−基である請求項１から８のいずれか１項に記載の接着剤またはシーラント組成物。
【請求項１５】  Ｒ１がＣＨ基であり、Ｒ６が−Ｃ（Ｏ）Ｏ−基または−ＯＣ（Ｏ）−基である請求項１４に記載の接着剤またはシーラント組成物。
【請求項１６】  Ｒ１が窒素であり、Ｒ６がＣ（Ｏ）、Ｃ（Ｓ）、またはＳ（Ｏ）２である請求項１から８のいずれか１項に記載の接着剤またはシーラント組成物。
【請求項１７】  式（Ｉ）の化合物が、構造（ＩＩ）
【化３】
2002521551.tif 000003
（式中、Ｒ７は請求項１に記載の定義の通りであり、−Ｒ１９−はＣ（Ｏ）、Ｃ（Ｓ）、Ｓ（Ｏ）２である）の化合物である請求項１６に記載の接着剤またはシーラント組成物。
【請求項１８】  Ｒ２およびＲ３が電子吸引基を含む請求項１から６のいずれか１項に記載の接着剤またはシーラント組成物。
【請求項１９】  Ｒ２またはＲ３の少なくとも１つが電子吸引基Ｒ９およびＲ１０を含む請求項１８に記載の接着剤またはシーラント組成物。
【請求項２０】  Ｒ９とＲ１０を合わせたものがオキソ基を形成する請求項１９に記載の接着剤またはシーラント組成物。
【請求項２１】  Ｒ７が、官能基で任意に置換されたヒドロカルビル基を含む先行する請求項のいずれか１項に記載の接着剤またはシーラント組成物。
【請求項２２】  Ｒ７が不飽和部分を含む先行する請求項のいずれか１項に記載の接着剤またはシーラント組成物。
【請求項２３】  前記不飽和部分が、アリール基またはアルケニル基、あるいはカルボニル置換基である請求項２２に記載の接着剤またはシーラント組成物。
【請求項２４】  Ｒ７が、任意に置換されたアルキル基、アルケニル基、アルキニル基、またはアリール基である請求項２１に記載の接着剤またはシーラント組成物。
【請求項２５】  Ｒ７がハロゲン、カルボキシまたはその塩、あるいはアシルオキシで置換される請求項２４に記載の接着剤またはシーラント組成物。
【請求項２６】  Ｒ７が１〜３個の炭素原子を含むペルハロアルキル基である請求項２１から２２のいずれか１項に記載の接着剤またはシーラント組成物。
【請求項２７】  Ｒ７がペルハロメチル基である請求項２６に記載の接着剤またはシーラント組成物。
【請求項２８】  Ｒ７がジアルケニル置換アミドである請求項２１に記載の接着剤またはシーラント組成物。
【請求項２９】  前記アミドが下位の式（ＩＩＩ）
【化４】
2002521551.tif 000004
（式中、Ｒ１９は請求項１６に記載の通りであり、Ｒ１２およびＲ１３は式（Ｉ）と関連するＲ２およびＲ３について前出の定義の基から選択され、Ｒ１４およびＲ１５は式（Ｉ）と関連するＲ３およびＲ４としての前出の定義の基から選択される）を有する請求項２８に記載の接着剤またはシーラント組成物。
【請求項３０】  Ｒ１２およびＲ１３が−ＣＨ２−基または−ＣＨ２ＣＨ２−基であり、Ｒ１４およびＲ１５が−ＣＨ−基である請求項２９に記載の接着剤またはシーラント組成物。
【請求項３１】  式（Ｉ）の化合物が式（ＩＶ）
【化５】
2002521551.tif 000005
（式中、Ｘ１、Ｙ１、Ｚ、ｍ、および点線は請求項２に記載の定義の通りであり、点線が結合の存在を表す場合には括弧内の水素原子は存在せず、Ｒ１６およびＲ１７は独立に水素、および任意に水酸基で置換されたヒドロカルビルから選択される）の化合物である請求項１から３のいずれか１項に記載の接着剤またはシーラント組成物。
【請求項３２】  Ｒ１６およびＲ１７がアルキル、ヒドロキシアルキル、およびアルケニルから選択される請求項３１に記載の接着剤またはシーラント組成物。
【請求項３３】  Ｒ１６およびＲ１７がプロプ−２−エニルまたはヒドロキシアルキルである請求項３２に記載の接着剤またはシーラント組成物。
【請求項３４】  ヒドロキシアルキルが式−Ｃ（（ＣＨ２）ｄＯＨ）ａ（Ｈ）ｂ（式中、ａは１〜３の整数であり、ｂは０あるいは１または２の整数であり、但しａ＋ｂは３であり、ｄは１〜６の整数である）の基である請求項３３に記載の接着剤またはシーラント組成物。
【請求項３５】  式
【化６】
2002521551.tif 000006
（式中Ｒ２、Ｒ３、Ｒ４、Ｒ５、Ｘ１、およびＹ１は請求項１に記載の定義の通りであり、Ｒ１８は請求項１に記載のＲ７の定義と同様であるが、但し、Ｒ２およびＲ３がどちらもＣＨ２でありＲ４およびＲ５がどちらもＣＨである場合は、Ｒ１８はメチル、クロロメチル、およびトリクロロメチル以外のものである）の化合物。
【請求項３６】  請求項１に記載の定義の式（Ｉ）の化合物の接着剤としての使用。
【請求項３７】  請求項１に記載の定義の式（Ｉ）の化合物のシーラントとしての使用。
【請求項３８】  重合させた請求項１に記載の定義の式（Ｉ）の化合物によって互いに接着される少なくとも２つの面を含む物品。
【請求項３９】  前記面がガラス面または金属面、あるいはそれらの組み合わせである請求項３８に記載の物品。
【請求項４０】  前記重合させた式（Ｉ）の化合物が電気伝導層を形成する請求項３８または３９に記載の物品。
【請求項４１】  請求項１に記載の定義の式（Ｉ）の生体適合性化合物を含む生物医学的接着剤。
【請求項４２】  複数の面を互いに接着する方法であって、前記方法が、前出の定義の式（Ｉ）の化合物を少なくとも１つの面に適用し、接着させる面と前記処理面とを接触させ、式（Ｉ）の化合物を重合させることを含む方法。